(57)【要約】【課題】２次断熱材の配設施工を一人の施工者でも施工できるようにする外壁構造を提供する。【解決手段】縦方向に長い縦桟材６を複数本、壁本体１の幅方向に所定間隔を隔て、壁本体１の外側に沿わせるようにそれぞれ略垂直に立設する。隣接する縦桟材６の間に形成される縦長空間に２次断熱材３を充填配置して外側断熱層を形成する。内外方向に所定厚みを有し且つ縦方向に長く形成された縦胴縁７を複数本、縦桟材６の外側に重ねるように幅方向に所定間隔を隔てて配置する。各縦胴縁７をそれぞれ重なり合う縦桟材６に沿わせて固定する。各縦胴縁７の外側に壁本体１と略平行に外壁材５を固定する。外壁材５、外側断熱層及び隣接する縦胴縁７で囲まれる上下に連通する空所を通気用隙間４とする。【選択図】        図１
2004169332.tif 000002
【特許請求の範囲】
【請求項１】
建物外壁の主体を構成せる壁本体内に１次断熱材を充填して内側断熱層を形成すると共に、この壁本体の外側に２次断熱材を被覆して外側断熱層を形成することで断熱層を２重に配置し、この外側断熱層の外側に、通気用隙間を介して、建物外壁の外表面となる外壁材を立設してなる外壁構造において、縦方向に長い縦桟材を複数本、壁本体の幅方向に所定間隔を隔て、壁本体の外側に沿わせるようにそれぞれ略垂直に立設し、隣接する縦桟材の間に形成される縦長空間に２次断熱材を充填配置して外側断熱層を形成し、内外方向に所定厚みを有し且つ縦方向に長く形成された縦胴縁を複数本、縦桟材の外側に重ねるように幅方向に所定間隔を隔てて配置すると共に、各縦胴縁をそれぞれ重なり合う縦桟材に沿わせて固定し、各縦胴縁の外側に壁本体と略平行に外壁材を固定し、外壁材、外側断熱層及び隣接する縦胴縁で囲まれる上下に連通する空所を通気用隙間としてなることを特徴とする外壁構造。
【請求項２】
縦胴縁の幅寸法を広く形成したことを特徴とする請求項１記載の外壁構造。
【発明の詳細な説明】
【０００１】
【発明の属する技術分野】
本発明は、１次断熱材を充填した壁本体の外側を２次断熱材で被覆することで２重に断熱を施し、この２次断熱材の外側に通気用隙間を介して外壁材を立設してなる外壁構造に関する発明である。
【０００２】
【従来の技術】
従来から、図５に示すように、建物外壁の主体を構成せる壁本体１内に１次断熱材２を充填して内側断熱層を形成すると共に、この壁本体１の外側に２次断熱材３を被覆して外側断熱層を形成することで断熱層を２重に配置し、この外側断熱層の外側に、通気用隙間４を介して、建物外壁の外表面となる外壁材５を立設してなる外壁構造にあって、この通気用隙間４は、外側断熱層に対して所定の間隔を隔てて重ねて外壁材５を配置し、この外側断熱層と外壁材５との間の隙間にて構成されている。そして、外側断熱層に対して所定の間隔を隔てて重ねて外壁材５を配置するには、外側断熱層の外側に所定厚みを備えたスペーサ部材を幅方向に所定間隔を隔てて配置し、これら各スペーサ部材の外側にそれぞれ外壁材５を固定させることで行われている。
【０００３】
ところで、この通気用隙間４は、建物の上下方向で生じ得る温度差を解消するために上下に連通する空間状に形成される必要があり、そのため、上記スペーサ部材には縦胴縁７が用いられることが多い。つまり、並べて立設した縦胴縁７の間には縦長空間が形成されるのであり、この縦長空間で通気用隙間４を構成するのである。そして、上記スペーサ部材に縦胴縁７が用いられた場合、この縦胴縁７を壁本体１側に固定するには、幅方向に長く形成された横桟材４０を外側断熱層の縦方向に所定間隔を隔てて配設し、この横桟材４０に縦胴縁７を固定させることで行われる。つまり、外側断熱層に横桟材４０を配置しておけば、縦胴縁７を配設する際に横桟材４０と縦胴縁７とは確実に交差して重ね代が得られ、この重ね代にて横桟材４０と縦胴縁７とを確実に固定させることができるのである。なお、この場合の外側断熱層は、隣接する横桟材４０の間に生じる横長空間内に、２次断熱材３が充填配置されている（たとえば、非特許文献１参照）。
【０００４】
【非特許文献１】
次世代省エネルギー基準解説書編集委員会  編集、「住宅の次世代省エネルギー基準と指針」、財団法人  住宅・建築  省エネルギー機構  発行、第１版、平成１１年１１月１日、Ｐ２４８
【０００５】
【発明が解決しようとする課題】
このように、外側断熱層に横桟材４０を配設することは、縦胴縁７を固定させる重ね代を確保できる点で有効ではあるが、２次断熱材３を横桟間に充填配置させる点にあっては、下記の理由で、その施工性に問題がある。
【０００６】
つまり、この２次断熱材３は壁本体１の外側に偏りなく均一に配設されねばならないのであるが、この２次断熱材３には、軟質なロックウールやグラスウールなどをビニル袋に詰めて構成される包袋などが用いられることが多いのであり、この包袋は形状維持が困難なほど軟質のものであるから、隣接する横桟材４０間に形成される横長空間に２次断熱材３を充填配置するには、自重によって下方に撓むように形状変化をする２次断熱材３を幅方向に伸ばした状態に保持しつつ充填配置作業を行わねばならないのである。
【０００７】
このように、施工者には、下方への撓みを抑えながらの横桟間への２次断熱材３の充填配置作業が課されるのであるが、この作業は一人の施工者で行うにはあまりに煩雑な作業であることから、実際のところ、この２次断熱材３の配設施工には二人以上の施工者を必要としてしまうのである。つまり、この２次断熱材３の配置施工は随時行える施工作業ではなく、施工者数が揃わないといった理由でこの施工作業が滞り、施工納期の遅延の原因となることもしばしばであった。
【０００８】
本発明は上記の点に鑑みてなされたものであり、構造上、２次断熱材の配設施工を一人の施工者でも施工できるようにする外壁構造を提供することを課題とするものである。
【０００９】
【課題を解決するための手段】
上記課題を解決するために本発明の請求項１に係る外壁構造は、建物外壁の主体を構成せる壁本体１内に１次断熱材２を充填して内側断熱層を形成すると共に、この壁本体１の外側に２次断熱材３を被覆して外側断熱層を形成することで断熱層を２重に配置し、この外側断熱層の外側に、通気用隙間４を介して、建物外壁の外表面となる外壁材５を立設してなる外壁構造において、縦方向に長い縦桟材６を複数本、壁本体１の幅方向に所定間隔を隔て、壁本体１の外側に沿わせるようにそれぞれ略垂直に立設し、隣接する縦桟材６の間に形成される縦長空間に２次断熱材３を充填配置して外側断熱層を形成し、内外方向に所定厚みを有し且つ縦方向に長く形成された縦胴縁７を複数本、縦桟材６の外側に重ねるように幅方向に所定間隔を隔てて配置すると共に、各縦胴縁７をそれぞれ重なり合う縦桟材６に沿わせて固定し、各縦胴縁７の外側に壁本体１と略平行に外壁材５を固定し、外壁材５、外側断熱層及び隣接する縦胴縁７で囲まれる上下に連通する空所を通気用隙間４としてなることを特徴とする。
【００１０】
これによると、縦方向に長い縦桟材６を複数本、壁本体１の幅方向に所定間隔を隔て、壁本体１の外側に沿わせるようにそれぞれ略垂直に立設し、隣接する縦桟材６の間に形成される縦長空間に２次断熱材３を充填配置して外側断熱層を形成させているので、たとえ２次断熱材３が形状維持の困難な軟質のロックウールで構成されても、上記縦長空間の上部位置でこの２次断熱材３を固定しさえすれば、２次断熱材３は自重で垂れ下がって自然に伸張状態となり、上記縦長空間に２次断熱材３を容易且つ仕上状態良く充填配置でき、つまり、壁本体１の外側に偏りなく均一に外側断熱層を形成させることができるのである。また、この２次断熱材３の配設施工作業にあっても、軟質の２次断熱材３の形状を維持させるのに要していた施工者を省くことができ、つまり、一人の施工者によっても上記施工作業が行い得るようにされ、したがって、２次断熱材３の配設施工作業は、施工者数に関わらず随意行い得る施工作業となるのであって、この施工作業で滞りが発生することはなく、施工納期の遅延を生じないようできるのである。
【００１１】
また、縦胴縁７の幅寸法を広く形成したことも好ましい。これによると、幅広の縦胴縁７によっては、縦桟材６と２次断熱材３との境界部分を外側から被覆でき、縦桟材６と２次断熱材３との境界で起こり得る断熱効果の低下を防止でき、また、幅広の縦胴縁７によって、は２次断熱材３への接触面を広く採ることができ、たとえ２次断熱材３が形状変形のし易い軟質のもので構成されていても、２次断熱材３の形状維持に資することができ、これによっても外壁の断熱効果の低下を防止することができるのである。
【００１２】
【発明の実施の形態】
本発明は、叙述したように、１次断熱材２を充填した壁本体１の外側を２次断熱材３で被覆することで２重に断熱を施し、この２次断熱材３の外側に通気用隙間４を介して外壁材５を立設してなる外壁構造であって、従来二人以上の施工者を必要とした２次断熱材３の配設施工を、一人の施工者でも施工可能として施工性の大幅な向上を図り得るようにしたものである。以下、本発明を添付図面に示す実施形態に基づいて説明する。
【００１３】
図１には、建物外壁の一部を切取った斜視図を示している。このように建物外壁は、建物外壁の主体を構成せる壁本体１を有し、この壁本体１の外側に２次断熱材３から成る外側断熱層を被覆し、この外側断熱層の外側に、通気用隙間４を介して、建物外壁の外表面となる外壁材５を配置して構成されている。ここで、壁本体１には１次断熱材２が充填されて内側断熱層が形成されており、上記外側断熱層と併せて、建物外壁に２重の断熱層を形成させている。また、通気用隙間４は上下方向に連通する空間である。この通気用隙間４は、外側断熱層の外側に幅方向に所定間隔を隔てて立設した縦胴縁７の外面に外壁材５を固定することで、外側断熱層、外壁材５及び隣接する縦胴縁７との間にできる縦長空間が構成しているものである。なお、図中８は外側断熱層の外面に貼着された透湿防水シートである。
【００１４】
図２には、図１のＡ−Ａ線で縦方向に切断した縦断面図を示す。この図から分かるように、基礎９の上にＬ型金具で構成された土台１０が配設され、この土台１０の上に１階部分の壁パネル１１が立設されている。また、基礎９上の土台１０の外側部分には、横桟１２が配置され、この横桟１２の外側下端部分には外壁材５から滴り落ちる雨水をスムーズに流下させる水切り片１３が取付けられている。また、上記壁パネル１１の下端と基礎９との間には、土台１０の内外を覆うように現場施工にて発泡ウレタン１４の充填やグラスウールの断熱材１５の配設が行われ、断熱処理が施されている。なお、壁パネル１１は、矩形状に枠組みされた枠框１６の外面にシージングボードから成る表面板１７が貼着されると共に、該枠框１６の内面に石膏ボードから成る内装板１８が貼着され、枠框１６、表面板１７及び内装板１８で囲まれた壁パネル１１の内部空間にロックウール等からなる１次断熱材２が充填されて構成されている。
【００１５】
また、建物の１階と２階の間には、建物躯体を構成するＩ鋼材の梁１９が架設されている。１階の壁パネル１１の上端はこの梁１９に取付け金具（図示せず）を介して取付けられており、また、２階の壁パネル１１がこの梁１９の上面に取り付けた土台１０上に立設されている。また、１階の壁パネル１１と２階の壁パネル１１との間には、Ｉ鋼材の梁１９を覆うように、隙間なく、現場施工にて発泡ウレタン１４の充填やグラスウールの断熱材１５の配設が行われ、断熱処理が施されている。なお、１階の壁パネル１１の表面板１７と２階の壁パネル１１の表面板１７との間には、これら表面板１７に連続する幕板２０が配設されている。
【００１６】
また、２階の壁パネル１１の上端は、Ｉ鋼材の屋根梁２１に取り付けられている。本例では、建物として２階建ての建物を例に挙げているので、２階の壁パネル１１の上端は屋根梁２１に取り付けてあるが、更に上階のある建物の場合は、先の梁１９同様、階間に架設された梁に固定される。また、２階の壁パネル１１と屋根の間にも、隙間なく、現場施工にて発泡ウレタン１４の充填や、グラスウールの断熱材１５、ロックウールの天井断熱材２２の配設が行われ、断熱処理が施されている。なお、図中２３は、屋根梁２１の外側で２階の壁パネル１１の表面板１７に連続するように配設された屋根幕板である。
【００１７】
本例では、上述したように壁パネル１１を用いた工法で建物外壁が建築されたものであり、階間の梁１９や屋根梁２１の部位も含めて壁パネル１１が、建物外壁の主体を構成せる壁本体１を構成している。無論、木造住宅など従来工法で建築した場合には、壁本体１は、上記壁パネル１１と同機能の１次断熱材２が埋設された壁材が構成するところとなる。
【００１８】
また、図３には建物の出隅部分における建物外壁の水平断面図を示し、図４には建物の入隅部分における建物外壁の水平断面図を示している。これらの図からわかるように、壁本体１の外側における幅方向に所定間隔を隔てた位置には、それぞれ縦桟材６が、壁本体１の外面に沿わせて略垂直に立設され、釘やビス等の固定具２４にて壁本体１に固定されている。なお、本例の縦桟材６は、壁パネル１１の枠框１６の外側部分に位置されて該枠框１６に強固に固定されている。そして、この隣接する縦桟材６の間には外側断熱層を形成する２次断熱材３が充填配置されている。なお、この２次断熱材３は、軟質なロックウールやグラスウールなどをビニル袋に詰めて構成される包袋であって、形状維持が困難なほど軟質のものを想定している。また、縦桟材６及び２次断熱材３の外側には、縦桟材６及び２次断熱材３を被覆する透湿防水シート８が貼着されている。なお、幅方向に並設された壁パネル１１間の接続は、壁パネル１１の枠框１６の側端に形成された相じゃくり部１６ａ同士を嵌め合わせて行われている。また、これら複数枚の壁パネル１１は建物躯体の縦柱２５間に配置されているが、この縦柱２５の外面には、壁パネル１１の表面板１７と連続するように断熱材２６を介してカバー体２７が被着されている。
【００１９】
上記縦桟材６の外側には、少なくとも縦桟材６の幅寸法よりも広い幅寸法を有し、且つ上下方向に長く形成された縦板状の縦胴縁７が配置され、縦桟材６に釘やビス等の固定具２８を介して固定されている。この縦胴縁７も、縦桟材６同様、壁本体１の幅方向に所定間隔を隔てて配設されている。なお、本例の縦胴縁７には、幅寸法を違えた２種の縦胴縁７が用いられている。便宜上、この２種の縦胴縁７のうち、幅広の縦胴縁７を幅広縦胴縁７ａと称し、幅狭の縦胴縁７を幅狭縦胴縁７ｂと称する。幅狭縦胴縁７ｂは、壁パネル１１同士が直接接続される部位や、入隅部位において用いられている。幅広縦胴縁７ａは、壁パネル１１同士が間に縦柱２５を介して接続される部位や、出隅部分において用いられている。
【００２０】
いずれの縦胴縁７にあっても、縦桟材６よりも幅寸法を広く形成されると共に、縦桟材６と２次断熱材３との境界部分を外側から被覆するように配置され、縦桟材６と２次断熱材３との境界で起こり得る断熱効果の低下を防止できるようにされている。なお、縦桟材６よりも幅寸法を広く形成された縦胴縁７は、縦胴縁７の縦桟材６への重ね代を容易に採ることもでき、縦桟材６の配置パターンにとらわれない縦胴縁７の配置パターンを採用でき、したがって、外壁材５の配設パターンの自由度を向上させることもできる。
【００２１】
そして、この縦胴縁７の外側には、建物外壁の外表面を構成せる外壁材５が固定金具２９を介して固定されている。本例の外壁材５には、縦胴縁７と任意位置で交差して重ね代を確保でき、縦胴縁７に容易に固定できる横長の外壁材５が採用されている。上述したように、外側断熱層、外壁材５及び隣接する縦胴縁７との間には縦長空間が形成されるのであり、この縦長空間が、建物の上下方向で生じ得る温度差を解消するための通気用隙間４を構成している。
【００２２】
上記構成を有する本例の外壁構造にあっては、上述したように、従来二人以上の施工者を必要とした２次断熱材３の配設施工を、一人の施工者でも施工可能として施工性の大幅な向上が図り得られるようされたことに特徴を有している。
【００２３】
つまり、本例では、壁本体１の幅方向に所定間隔を隔てて縦桟材６を配設し、隣接する縦桟材６の間に上下に連通する縦長空間を形成し、この縦長空間に２次断熱材３を充填配置させるようにしているので、たとえ２次断熱材３が形状維持の困難な軟質のロックウールで構成されても、上記縦長空間の上部位置でこの２次断熱材３を固定しさえすれば、２次断熱材３は自重で垂れ下がって自然に伸張状態となり、上記縦長空間に２次断熱材３を容易且つ仕上状態良く充填配置できるようになっているのである。
【００２４】
このように、上下に連通する縦長空間を２次断熱材３の充填配置箇所としたことで、２次断熱材３が自己保形性の無いものであっても、２次断熱材３の形状保持作業と２次断熱材３の壁本体１等への固定作業とを同時に行わなくて済むようになり、つまり、２次断熱材３の形状保持作業に要していた作業者を必要とせず、２次断熱材３の固定を行わせる作業者を確保さえすれば、２次断熱材３の充填配置は随意行えるようになっている。したがって、２次断熱材３の配設施工作業が、施工者数の関係で滞ってしまうことは無くなり、施工納期の遵守を図ることができるようにされているのである。
【００２５】
なお、本例では、２次断熱材３が自己保形性のないロックウールで構成されたものについて述べたが、自己保形性を有した発泡スチロールなどの材料で構成された２次断熱材３を用いたとしても、構造的には何ら問題はなく、上記効果を奏し得るのは言うまでもない。
【００２６】
【発明の効果】
上記のように本発明の請求項１記載の発明にあっては、叙述したように、縦方向に長い縦桟材を複数本、壁本体の幅方向に所定間隔を隔て、壁本体の外側に沿わせるようにそれぞれ略垂直に立設し、隣接する縦桟材の間に形成される縦長空間に２次断熱材を充填配置して外側断熱層を形成したので、たとえ２次断熱材が形状維持の困難な軟質のロックウールで構成されても、上記縦長空間の上部位置でこの２次断熱材を固定しさえすれば、２次断熱材は自重で垂れ下がって自然に伸張状態となり、上記縦長空間に２次断熱材を容易且つ仕上状態良く充填配置でき、つまり、２次断熱材の配設施工作業にあっては、軟質の２次断熱材の形状を維持させるのに要していた施工者を省いて一人の施工者だけで行い得るようにされ、したがって、２次断熱材の配設施工作業は、施工者数に関わらず随意行い得る施工作業となり、この施工作業で滞りが発生することを無くし、施工納期の遵守を図り得るようにできるのである。
【００２７】
また、請求項２記載の発明にあっては、請求項１の効果に加えて、縦胴縁の幅寸法を広く形成したので、幅広の縦胴縁によっては２次断熱材への接触面を広く採ることができ、たとえ２次断熱材が形状変形のし易い軟質のもので構成されていても、外側断熱層を構成する２次断熱材の形状維持に資することができ、また、縦胴縁によって縦桟材と２次断熱材との境界部分を外側から覆うこともできることから、外壁の断熱性能の低下を防止することができるのである。
【図面の簡単な説明】
【図１】本発明の実施の形態の例を示す建物外壁の一部を切取った斜視図である。
【図２】図１のＡ−Ａ線縦断面図である。
【図３】同上の建物の出隅部分における建物外壁の水平断面図である。
【図４】同上の建物の入隅部分における建物外壁の水平断面図である。
【図５】従来技術の例を示す断面斜視図である。
【符号の説明】
１  壁本体
２  １次断熱材
３  ２次断熱材
４  通気用隙間
５  外壁材
６  縦桟材
７  縦胴縁
【図１】
2004169332.tif 000003
【図２】
2004169332.tif 000004
【図３】
2004169332.tif 000005
【図４】
2004169332.tif 000006
【図５】
2004169332.tif 000007